(57)【要約】  【課題】  ネットワーク帯域の混雑状況によらず、データの伝送を行えるデータ伝送システムを提供する。  【解決手段】  データ伝送システム１は、アナログ音声データとデジタル音声データとを伝送路に出力するマトリックス装置５２と、音声データを受信する受信装置１０とを備える。受信装置５２は、伝送路からアナログ音声データおよびデジタル音声データをそれぞれ取得する周波数フィルタ１２と、周波数フィルタ１２にて取得したアナログ音声データを処理するアナログ回路１４と、デジタル音声データを処理するデジタル音声データ処理部２０と、スピーカ３２とを備える。周波数フィルタ１２にて取得したデジタル音声データのデータ量が所定の閾値以上の場合にデジタル音声データ処理部２０からスピーカ３２に音声データを入力し、データ量が所定の閾値より小さい場合にアナログ回路１４からスピーカ３２に音声データを入力するように切換えを行う。【選択図】  図１
2006229764.tif 000002
【特許請求の範囲】
【請求項１】
アナログ音声データとデジタル音声データとを伝送路に出力する送信装置と、
前記伝送路を通じて前記送信装置から伝送されるアナログ音声データまたはデジタル音声データに基づいて音声を出力する受信装置と、
を備え、
前記受信装置は、
前記伝送路から、アナログ音声データおよびデジタル音声データをそれぞれ取得する伝送路インターフェース部と、
前記伝送路インターフェース部にて取得したアナログ音声データを処理するアナログ音声データ処理部と、
前記伝送路インターフェース部にて取得したデジタル音声データを処理するデジタル音声データ処理部と、
前記アナログ音声データ処理部または前記デジタル音声データ処理部にて処理された音声データの入力により音声を出力する音声出力部と、
前記伝送路インターフェース部にて取得したデジタル音声データのデータ量が所定の閾値以上の場合に前記デジタル音声データ処理部から前記音声出力部に音声データを入力し、前記データ量が所定の閾値より小さい場合に前記アナログ音声処理部から前記音声出力部に音声データを入力するように音声出力部への音声データ入力切換えを行う制御部と、
を備えたことを特徴とするデータ伝送システム。
【請求項２】
前記受信装置の制御部は、前記アナログ音声データ処理部または前記デジタル音声データ処理部のいずれかの故障を検知した場合に、故障していない方から前記音声出力部に音声データを入力するように音声データ入力切換えを行うことを特徴とする請求項１に記載のデータ伝送システム。
【請求項３】
前記送信装置は、アナログ音声データとデジタル音声データの切換えを指示する制御データを前記伝送路に出力し、
前記受信装置の伝送路インターフェース部は、前記伝送路から前記制御データを取得し、
前記受信装置の制御部は、前記制御データに基づいて、前記音声データ入力切換えを行うことを特徴とする請求項１に記載のデータ伝送システム。
【請求項４】
前記送信装置は、アナログ音声データおよびデジタル音声データに加えて、電源を前記伝送路に出力し、
前記受信装置の伝送路インターフェース部は、前記伝送路から電源を取得し、
前記受信装置の制御部は、取得した電源の大きさに応じて、前記音声データ入力切換えを行うことを特徴とする請求項１に記載のデータ伝送システム。
【請求項５】
前記送信装置は、アナログ音声データとデジタル音声データとを異なる周波数帯に重畳した重畳音声データを伝送路に出力し、
前記受信装置の伝送路インターフェース部は、重畳音声データからアナログ音声データとデジタル音声データとを取り出す周波数フィルタを備えたことを特徴とする請求項１に記載のデータ伝送システム。
【請求項６】
前記伝送路は、共通の被覆を有する複数のケーブルで構成された多芯ケーブルであって、
前記送信装置は、複数のケーブルのうちの一のケーブルにアナログ音声データを伝送させ、前記一のケーブルと異なるケーブルにデジタル音声データを伝送させることを特徴とする請求項１に記載のデータ伝送システム。
【請求項７】
アナログデータとデジタルデータとを伝送路に出力する送信装置と、
前記伝送路を通じて前記送信装置から伝送されるアナログデータおよびデジタルデータを受信し、受信したアナログデータまたはデジタルデータに基づいて処理を行う受信装置と、
を備え、
前記受信装置は、
前記伝送路から、アナログデータおよびデジタルデータをそれぞれ取得する伝送路インターフェース部と、
前記伝送路インターフェース部にて取得したアナログデータを処理するアナログデータ処理部と、
前記伝送路インターフェース部にて取得したデジタルデータを処理するデジタルデータ処理部と、
前記伝送路インターフェース部にて取得したデジタルデータのデータ量が所定の閾値以上の場合に前記デジタルデータ処理部の処理結果を出力し、前記データ量が所定の閾値より小さい場合に前記アナログデータ処理部の処理結果を出力するように切換えを行う制御部と、
を備えたことを特徴とするデータ伝送システム。
【請求項８】
アナログ音声データとデジタル音声データとが伝送される伝送路から、アナログ音声データおよびデジタル音声データをそれぞれ取得する伝送路インターフェース部と、
前記伝送路インターフェース部にて取得したアナログ音声データを処理するアナログ音声データ処理部と、
前記伝送路インターフェース部にて取得したデジタル音声データを処理するデジタル音声データ処理部と、
前記アナログ音声データ処理部または前記デジタル音声データ処理部にて処理された音声データの入力により音声を出力する音声出力部と、
前記伝送路インターフェース部にて取得したデジタル音声データのデータ量が所定の閾値以上の場合に前記デジタル音声データ処理部から前記音声出力部に音声データを入力し、前記データ量が所定の閾値より小さい場合に前記アナログ音声処理部から前記音声出力部に音声データを入力するように音声データ入力切換えを行う制御部と、
を備えたことを特徴とする受信装置。
【請求項９】
送信装置から受信装置へ音声データを伝送するデータ伝送方法であって、
前記送信装置がアナログ音声データとデジタル音声データとを伝送路に出力するステップと、
前記受信装置が、前記伝送路からアナログ音声データおよびデジタル音声データをそれぞれ取得するステップと、
取得したデジタル音声データのデータ量が所定の閾値以上の場合に前記デジタル音声データに基づいて音声を出力し、前記データ量が所定の閾値より小さい場合に前記アナログ音声データに基づいて音声を出力するように制御するステップと、
を備えたことを特徴とするデータ伝送方法。
【発明の詳細な説明】
【技術分野】
【０００１】
本発明は、ネットワークを通じてデータを伝送し、受信装置にて出力するデータ伝送システムに関する。
【背景技術】
【０００２】
従来から、ネットワークに接続された送受信装置でデータの送受信を行う装置が知られている。例えば、特許文献１には、ネットワークに接続された複数台の送受信装置の間で音声データの送受信を行うことができる放送装置が記載されている。
【０００３】
特許文献１に記載された放送装置では、各送受信装置は、どの送受信装置と音声データの通信を行うかを示す情報を記憶したデータベースを有する。送受信装置は、このデータベースに記憶された情報に基づいて通信先の送受信装置を決定し、音声データの送受信を行う。
【０００４】
このようなシステムでは、各送受信装置にアドレスを付与し、特定のアドレスの送受信装置に音声データや制御データを伝送する形態をとっている。これにより、特定の装置のみから音声を出力させることや、装置ごとに異なる音声を出力させることを可能とし、ユーザの利便性を高めている。
【特許文献１】特開２００４−１５３３９５号公報
【発明の開示】
【発明が解決しようとする課題】
【０００５】
しかし、ネットワークを通じてデジタル音声データを送受信する形態の上記のようなシステムにおいては、ネットワークのトラフィックが増大して品質が低下すると、適切に音声データを出力できない可能性がある。ネットワークの品質は、例えば、ワームやウィルスの侵入、外来ノイズ、人為的な操作ミスなど様々な原因で低下する。特に深刻なものとして、緊急時、災害時が挙げられる。緊急時、災害時には、異常を知らせるデータが大量に伝送されてデータ伝送帯域を圧迫し、緊急時の案内放送ができないという事態に陥るおそれがある。
【０００６】
本発明は、上記課題に鑑み、ネットワーク帯域の混雑状況によらず、データの伝送を行えるデータ伝送システムおよび受信装置を提供することを目的とする。
【課題を解決するための手段】
【０００７】
本発明のデータ伝送システムは、アナログ音声データとデジタル音声データとを伝送路に出力する送信装置と、前記伝送路を通じて前記送信装置から伝送されるアナログ音声データまたはデジタル音声データに基づいて音声を出力する受信装置とを備え、前記受信装置は、前記伝送路からアナログ音声データおよびデジタル音声データをそれぞれ取得する伝送路インターフェース部と、前記伝送路インターフェース部にて取得したアナログ音声データを処理するアナログ音声データ処理部と、前記伝送路インターフェース部にて取得したデジタル音声データを処理するデジタル音声データ処理部と、前記アナログ音声データ処理部または前記デジタル音声データ処理部にて処理された音声データの入力により音声を出力する音声出力部と、前記伝送路インターフェース部にて取得したデジタル音声データのデータ量が所定の閾値以上の場合に前記デジタル音声データ処理部から前記音声出力部に音声データを入力し、前記データ量が所定の閾値より小さい場合に前記アナログ音声処理部から前記音声出力部に音声データを入力するように音声出力部への音声データ入力切換えを行う制御部とを備える。
【０００８】
このように受信装置が伝送路に伝送されるアナログ音声データおよびデジタル音声データをそれぞれ取得し、デジタル音声データのデータ量が所定の閾値より小さい場合には、アナログ音声データに基づいて音声を出力するので、ネットワークの品質が低下してデジタル音声データを適切に受信できない場合に、アナログ音声データに切り換えて音声出力を確保することができる。これにより、デジタル音声データの利点を有しつつ、例えば緊急時などにネットワークの品質が低下する場合にも、適切に音声を出力することができるシステムを実現できる。
【０００９】
また、上記データ伝送システムにおいて、前記受信装置の制御部は、前記アナログ音声データ処理部または前記デジタル音声データ処理部のいずれかの故障を検知した場合に、故障していない方から前記音声出力部に音声データを入力するように音声データ入力切換えを行ってもよい。
【００１０】
このように受信装置が、音声出力部に入力する音声データを処理する２つの処理部を有し、一方が故障した場合に他方に切り換えることにより、一方が故障した場合にも音声を出力でき、システムの信頼性を高めることができる。
【００１１】
また、上記データ伝送システムにおいて、前記送信装置は、アナログ音声データとデジタル音声データの切換えを指示する制御データを前記伝送路に出力し、前記受信装置の伝送路インターフェース部は、前記伝送路から前記制御データを取得し、前記受信装置の制御部は、前記制御データに基づいて、前記音声データ入力切換えを行ってもよい。
【００１２】
このようにアナログ音声データとデジタル音声データのいずれを用いて出力するかを制御データによって切換え可能とすることにより、送信装置側での選択が可能となり、利便性を高めることができる。
【００１３】
また、上記データ伝送システムにおいて、前記送信装置は、アナログ音声データおよびデジタル音声データに加えて、電源を前記伝送路に出力し、前記受信装置の伝送路インターフェース部は、前記伝送路から電源を取得し、前記受信装置の制御部は、取得した電源の大きさに応じて、前記音声データ入力切換えを行ってもよい。
【００１４】
この構成により、制御データを用いないで、アナログ音声データとデジタル音声データのいずれを用いて出力するかを切換え可能となる。
【００１５】
また、上記データ伝送システムにおいて、前記送信装置は、アナログ音声データとデジタル音声データとを異なる周波数帯に重畳した重畳音声データを伝送路に出力し、前記受信装置の伝送路インターフェース部は、重畳音声データからアナログ音声データとデジタル音声データとを取り出す周波数フィルタを備えてよい。
【００１６】
この構成により、一本の線路によってアナログ音声データとデジタル音声データとを伝送することができる。
【００１７】
また、上記データ伝送システムにおいて、前記伝送路は、共通の被覆を有する複数のケーブルで構成された多芯ケーブルであって、前記送信装置は、複数のケーブルのうちの一のケーブルにアナログ音声データを伝送させ、前記一のケーブルと異なるケーブルにデジタル音声データを伝送させてもよい。
【００１８】
この構成により、アナログ音声データとデジタル音声データとが別々のケーブルで伝送されるので、ケーブルの切断などの障害に対するシステムの信頼性を向上できる。
【００１９】
本発明の別の態様に係るデータ伝送システムは、アナログデータとデジタルデータとを伝送路に出力する送信装置と、前記伝送路を通じて前記送信装置から伝送されるアナログデータおよびデジタルデータを受信し、受信したアナログデータまたはデジタルデータに基づいて処理を行う受信装置とを備え、前記受信装置は、前記伝送路からアナログデータおよびデジタルデータをそれぞれ取得する伝送路インターフェース部と、前記伝送路インターフェース部にて取得したアナログデータを処理するアナログデータ処理部と、前記伝送路インターフェース部にて取得したデジタルデータを処理するデジタルデータ処理部と、前記伝送路インターフェース部にて取得したデジタルデータのデータ量が所定の閾値以上の場合に前記デジタルデータ処理部の処理結果を出力し、前記データ量が所定の閾値より小さい場合に前記アナログデータ処理部の処理結果を出力するように切換えを行う制御部とを備える。
【００２０】
このように受信装置が伝送路に伝送されるアナログデータおよびデジタルデータをそれぞれ取得し、デジタルデータのデータ量が所定の閾値より小さい場合には、アナログデータに基づく処理結果を出力するので、ネットワークの品質が低下してデジタルデータを適切に受信できない場合に、アナログデータに切り換えて処理結果の出力を確保することができる。これにより、デジタルデータ伝送の利点を有しつつ、例えば緊急時などにネットワークの品質が低下する場合にも、適切な処理を行うことができるシステムを実現できる。また、上記したデータ伝送システムの各種の構成を、この態様のデータ伝送システムに適用することも可能である。
【００２１】
本発明の受信装置は、アナログ音声データとデジタル音声データとが伝送される伝送路からアナログ音声データおよびデジタル音声データをそれぞれ取得する伝送路インターフェース部と、前記伝送路インターフェース部にて取得したアナログ音声データを処理するアナログ音声データ処理部と、前記伝送路インターフェース部にて取得したデジタル音声データを処理するデジタル音声データ処理部と、前記アナログ音声データ処理部または前記デジタル音声データ処理部にて処理された音声データの入力により音声を出力する音声出力部と、前記伝送路インターフェース部にて取得したデジタル音声データのデータ量が所定の閾値以上の場合に前記デジタル音声データ処理部から前記音声出力部に音声データを入力し、前記データ量が所定の閾値より小さい場合に前記アナログ音声処理部から前記音声出力部に音声データを入力するように音声データ入力切換えを行う制御部とを備える。
【００２２】
この構成により、本発明のデータ伝送システムと同様に、デジタル音声データの利点を有しつつ、例えば緊急時などにネットワークの品質が低下する場合にも、適切に音声を出力することができる受信装置を実現できる。また、上記したデータ伝送システムの各種の構成を、本発明の受信装置に適用することも可能である。
【００２３】
本発明のデータ伝送方法は、送信装置から受信装置へ音声データを伝送するデータ伝送方法であって、前記送信装置がアナログ音声データとデジタル音声データとを伝送路に出力するステップと、前記受信装置が前記伝送路からアナログ音声データおよびデジタル音声データをそれぞれ取得するステップと、取得したデジタル音声データのデータ量が所定の閾値以上の場合に前記デジタル音声データに基づいて音声を出力し、前記データ量が所定の閾値より小さい場合に前記アナログ音声データに基づいて音声を出力するように制御するステップとを備える。
【００２４】
この構成により、本発明のデータ伝送システムと同様に、デジタル音声データの利点を有しつつ、例えば緊急時などにネットワークの品質が低下する場合にも、適切に音声を出力することができる方法を実現できる。また、上記したデータ伝送システムの各種の構成を、本発明のデータ伝送方法に適用することも可能である。
【発明の効果】
【００２５】
本発明によれば、受信装置が伝送路に伝送されるアナログ音声データおよびデジタル音声データをそれぞれ取得し、デジタル音声データのデータ量が所定の閾値より小さい場合には、アナログ音声データに基づいて音声を出力するので、ネットワークの品質が低下してデジタル音声データを適切に受信できない場合に、アナログ音声データに切り換えて音声出力を確保することができるというすぐれた効果を有する。
【発明を実施するための最良の形態】
【００２６】
以下、本発明のデータ伝送システムの実施の形態について図面を用いて説明する。以下の実施の形態では、音声データを伝送する例について説明するが、音声データ以外のデータ伝送にも本発明を適用できることは言うまでもない。
【００２７】
図１は、第１の実施の形態の音声データ伝送システム１の構成を示す図である。本実施の形態の音声データ伝送システム１は、例えば、百貨店や駅などの構内放送に適用することができる。
【００２８】
第１の実施の形態の音声データ伝送システム１は、複数の音源５０と、音源５０から伝送された音声データを出力する受信装置１０とを備えている。複数の音源５０は、マトリックス装置５２に接続されている。マトリックス装置５２は、複数の音源５０から入力された音声データから伝送路に出力する音声データを選択し、選択した音声データをアナログ音声データおよびデジタル音声データとして出力する機能を有する。なお、音源５０は必ずしも複数である必要はなく、一台でもよい。
【００２９】
マトリックス装置５２は、アナログ回線によって多重部６０に接続されている。すなわち、マトリックス装置５２から出力されたアナログ音声データは、多重部６０に入力される。また、マトリックス装置５２は、ネットワークインターフェース装置５４、データ中継切換装置５６、モデム５８を介して多重部６０に接続されている。すなわち、マトリックス装置５２から出力されたデジタル音声データは、ネットワークインターフェース装置５４、データ中継切換装置５６、モデム５８を経由して、多重部６０に入力される。ここで、データ中継切換装置としては、例えばスイッチングハブ等が用いられる。なお、データ中継切換装置５６を複数有するのは、例えば、構内放送などにおいて、フロアごとにデータ中継切換装置５６を設けることによって、一台のデータ中継切換装置５６のカバーするエリアを適切な大きさにするためである。もちろん、データ中継切換装置５６は一台であってもよいし、音声データの伝送範囲が狭い場合には、データ中継切換装置５６を有しない構成とすることも可能である。
【００３０】
多重部６０は、入力されたアナログ音声データとデジタル音声データとを異なる周波数帯に重畳して重畳音声データを生成する機能を有する。また、多重部６０は、電源供給部６２に接続されており、電源供給部６２から入力された電源も重畳音声データに重畳する。具体的には、高速電力線伝送やｘＤＳＬ等の手段によって重畳する。ここで、重畳音声データについて説明する。
【００３１】
図２は、周波数帯と重畳されたデータとの関係を示す図である。図２に示されるように、デジタル音声データはアナログ音声データに比べて充分高い周波数で伝送される。１Ｍ〜３０ＭＨｚの周波数帯にはデジタル音声データが重畳され、５００〜２０ｋＨｚの周波数帯にはアナログ音声データが重畳される。また、アナログ音声データより低い周波数帯域には、商用電源（５０／６０Ｈｚ）とＤＣ電源（０Ｈｚ）のいずれか一方または両方が重畳される。多重部６０は、以上のような重畳音声データを生成する。
【００３２】
次に、受信装置１０について説明する。受信装置１０は、重畳された音声データからアナログ音声データ、デジタル音声データおよび電源のそれぞれを取得するための、周波数フィルタ１２を備えている。ここで、周波数フィルタ１２について説明する。
【００３３】
図３は、周波数フィルタ１２の特性を示す図である。周波数フィルタ１２はおよそ０．８ＭＨｚ以上の周波数帯からデジタル音声データを取得し、およそ４００〜２２ｋＨｚの周波数帯からアナログ音声データを取得する。また、５０Ｈｚ前後の周波数帯から商用電源を取得し、ＤＣ電源（０Ｈｚ）も取得する。
【００３４】
受信装置１０は、周波数フィルタ１２で取得したアナログ音声データを処理するアナログ回路１４、デジタル音声データを処理するデジタル音声データ処理部２０、商用電源またはＤＣ電源が入力される電源部２８を備えている。また、受信装置１０は、音声を出力するスピーカ３２と、アナログ回路１４またはデジタル音声データ処理部２０のうちのいずれかの入力を受けて拡声するアンプ回路３０を備えている。本実施の形態では、アンプ回路３０はアナログ入力対応のアンプ回路である。アンプ回路３０への入力を切り換えるスイッチ１６は、電気信号で制御可能なリレーなどの部品で構成される。スイッチ１６は、アンプ回路３０の入力端子にアナログ回路１４の出力端子を接続するか、音声データ処理部２０の出力端子を接続するかを切り換える。以下の説明では、アナログ回路１４の出力端子を接続する場合を（ａ）側、音声データ処理部２０の出力端子を接続する場合を（ｂ）側という。スイッチ１６は、デジタル音声データ処理部２０からの出力によって制御される。デジタル音声データ処理部２０の構成について詳しく説明する。
【００３５】
デジタル音声データ処理部２０は、周波数フィルタ１２にて取得されたデジタル音声データを変調するモデム２２と、変調されたデジタル音声データをアナログ音声データに変換するデータ／アナログ音声変換部２４と、アナログ音声データを処理するアナログ回路２６とを備える。
【００３６】
図４は、データ／アナログ音声変換部２４の詳細な構成を示す図である。データ／アナログ音声変換部２４は、ＣＰＵ４０によって制御される。ＣＰＵ４０には、ネットワークインターフェース４２、メモリ４４、デジタルアナログ変換部４６が接続されている。ネットワークインターフェース４２は、モデムで変調されたデジタル音声データを受け取り、デジタルアナログ変換部４６に渡す。デジタルアナログ変換部４６は、デジタル音声データをアナログ音声データに変換する。メモリ４４は、データを記憶する機能を有し、例えば、ネットワークインターフェース４２で受け取った音声データを一時的に記憶しておく。
【００３７】
ＣＰＵ４０は、ネットワークインターフェース４２がモデム２２から受け取るデジタル音声データのデータ量を監視する。そして、デジタル音声データのデータ量があらかじめ設定された閾値以上の場合には、ＣＰＵ４０は、スイッチ１６を（ｂ）側に接続する信号を出力する。デジタル音声データのデータ量が閾値より小さくなった場合には、ＣＰＵ４０は、スイッチ１６を（ａ）側に接続する信号を出力する。
【００３８】
図５は、ＣＰＵ４０の出力によってスイッチ１６を切り換えるためのリレー切換回路７０の構成を示す図である。本実施の形態では、ＣＰＵ４０が「Ｈ」信号を出力したときにスイッチ１６が（ａ）側に接続され、ＣＰＵ４０が「Ｌ」信号を出力したときにスイッチ１６が（ｂ）側に接続される。つまり、ＣＰＵ４０が強制的に「Ｌ」信号を出力しない限り、スイッチ１６は（ａ）側に接続されるように設計されている。
【００３９】
また、ＣＰＵ４０は、デジタル音声データ処理部２０に故障が発生していないか自己診断する。例えば、ＣＰＵ４０は、デジタルアナログ変換部４６の状態をチェックしたり、ウォッチドックタイマーの機能によってＣＰＵ４０自身の状態をチェックする。そして、故障が発生している場合には、ＣＰＵ４０は「Ｈ」信号を出力し、スイッチ１６を（ａ）側に接続させる。
【００４０】
次に、上記のように構成された実施の形態のデータ伝送システム１の動作について説明する。まず、複数の音源５０から出力された音声をマトリックス装置５２に入力し、マトリックス装置５２が入力された音声から出力する音声を選択する。そして、マトリックス装置５２は、デジタル音声データおよびアナログ音声データを出力する。マトリックス装置５２から出力されたアナログ音声データは多重部６０に入力され、デジタル音声データは、ネットワークインターフェース装置５４、データ中継切換装置５６、モデム５８を経由して多重部６０に入力される。多重部６０は、入力されたアナログ音声データとデジタル音声データとを重畳して重畳音声データを生成する。このとき、多重部６０は電源供給部６２から入力された電源も音声データに重畳する。そして、多重部６０は、生成された重畳音声データを伝送路に出力する。
【００４１】
受信装置１０は、伝送路に伝送される重畳音声データを受信すると、周波数フィルタ１２にて重畳音声データからアナログ音声データ、デジタル音声データ、および電源を取得する。周波数フィルタ１２は、取得したアナログ音声データをアナログ回路１４に入力し、デジタル音声データをデジタル音声データ処理部２０に入力し、電源を電源部２８に入力する。
【００４２】
アナログ回路１４は、入力されたアナログ音声データを処理する。デジタル音声データ処理部２０は、入力されたデジタル音声データをモデム２２で変調し、データ／アナログ音声変換部２４でアナログ音声データに変換する。そして、アナログ回路２６でアナログ音声データを処理する。スイッチ１６は、デジタル音声データ処理部２０のＣＰＵ４０から入力される制御信号に従って、アナログ回路１４で処理された音声データをアンプ回路３０に入力するか、デジタル音声データ処理部２０で処理された音声データをアンプ回路３０に入力するかを切り換える。ＣＰＵ４０は、通常は、デジタル音声データを用いた音声出力を行うようにスイッチ１６を（ｂ）側に接続するが、ネットワークの品質低下、データ／アナログ変換部２４の故障を検知した場合には、アナログ音声データを用いた音声出力を行うようにスイッチ１６を（ａ）側に切り換える。以下、ＣＰＵ４０の切換制御を詳しく説明する。
【００４３】
図６は、ＣＰＵ４０によるスイッチ１６の切換制御の動作を示すフローチャートである。まず、デジタル音声データ処理部２０に電源が供給されてＣＰＵ４０が起動されると（Ｓ１０）、ＣＰＵ４０は「Ｈ」信号を出力する（Ｓ１２）。つまり、この状態では、スイッチ１６は（ａ）側に接続され、アナログ回路１４からの音声データがスピーカ３２から出力されることになる。なお、電源が投入されていない状態では、スイッチ１６は（ａ）側にスイッチされ、電源の投入待ちの状態となる。また、ＣＰＵ４０の起動途中は、ＣＰＵ４０は「Ｈ」信号を出力し、スイッチ１６を（ａ）側に倒しておく。これにより、スピーカ３２にはアナログ回路１４からの音声データが入力される。
【００４４】
次に、ＣＰＵ４０は、デジタル音声データ処理部２０を自己診断する。この結果がＯＫでなければ（Ｓ１６でＮＯ）、ＣＰＵ４０は「Ｈ」信号を出力する。自己診断結果がＯＫであれば（Ｓ１６でＹＥＳ）、ＣＰＵ４０はネットワークインターフェース４２の通信状態をチェックする（Ｓ１８）。ＣＰＵ４０は、所定の閾値以上のデータ量を受信している場合に通信状態ＯＫと判定し、閾値より少ないデータしか受信していない場合に通信状態ＯＫではないと判定する。この結果、通信状態がＯＫでなければ（Ｓ２０でＮＯ）、ＣＰＵ４０は「Ｈ」信号を出力する。通信状態がＯＫであれば（Ｓ２０でＹＥＳ）、ＣＰＵ４０はネットワークインターフェース装置５４経由でスイッチを（ａ）側へ切り換える制御データを受信しているか否かをチェックする（Ｓ２２）。この結果、（ａ）側への切換えを指示する制御データを受信している場合には（Ｓ２４でＹＥＳ）、ＣＰＵ４０は「Ｈ」信号を出力する。（ａ）側へ切り換える制御データを受信していない場合には（Ｓ２４でＮＯ）、ＣＰＵ４０は「Ｈ」信号を出力する（Ｓ２６）。
【００４５】
ＣＰＵ４０が「Ｌ」信号を出力した場合には、リレー切換回路７０がＯＮになり（Ｓ２８）、スイッチ１６が（ｂ）側に接続される（Ｓ３０）。そして、スピーカ３２は、デジタル音声データ処理部２０によって処理された音声データを出力する（Ｓ３２）。
【００４６】
ＣＰＵ４０が「Ｈ」信号を出力した場合には、リレー切換回路７０がＯＦＦになり（Ｓ３６）、スイッチ１６が（ａ）側に切り換えられる（Ｓ３８）。そして、スピーカ３２は、アナログ回路１４によって処理されたデータを出力する（Ｓ４０）。
【００４７】
ＣＰＵ４０は、以上の制御を繰り返し行い、ネットワークの混雑状況、故障またはネットワークインターフェース装置５４を経由して伝送される制御データに対応して、スイッチ１６の切換えを行う。
【００４８】
以上、本発明の第１の実施の形態の音声データ伝送システム１の構成および動作について説明した。
【００４９】
第１の実施の形態では、受信装置１０は伝送路からアナログ音声データとデジタル音声データを取得し、デジタル音声データのデータ量が閾値より小さい場合に、アナログ音声データに基づく出力を行う。これにより、ネットワークの品質が低下して適切にデジタル音声データを受信できない場合に、アナログ音声データによる音声出力を確保できる。
【００５０】
また、第１の実施の形態では、ＣＰＵ４０は、デジタル音声データ処理部２０の状態を自己診断し、故障が発生している場合には、スイッチ１６を（ａ）側にスイッチする。これにより、デジタル音声データ処理部２０が故障した場合に、アナログ回路１４からのデータを用いて音声を出力するバックアップ機能を有し、システムの信頼性を高めることができる。
【００５１】
また、第１の実施の形態では、ネットワークインターフェース装置５４経由で伝送される制御データによって、スイッチ１６の切換えが可能なので、ユーザの利便性を向上できる。
【００５２】
また、第１の実施の形態では、多重部６０が電源も重畳して伝送路に出力し、受信装置１０が電源を受信するので、個別に電源を確保する必要がなく、受信装置１０の設置場所の自由度が高まる。
【００５３】
次に、本発明の第２の実施の形態の音声データ伝送システム１について説明する。第２の実施の形態の音声データ伝送システム１は、第１の実施の形態の音声データ伝送システム１と基本的な構成は同じであるが、スイッチ１６の切換えに電源のレベルを用いている点が異なる。
【００５４】
図７は、第２の実施の形態で用いられる受信装置１０の構成を示す図である。図７に示すように電源部２８とスイッチ１６とが接続されている。電源部２８のレベルの情報がスイッチ１６に入力される。スイッチ１６は、電源部２８のレベルが、あらかじめ定められた閾値（例えば１２［Ｖ］）以上である場合には、スイッチ１６を（ｂ）側に接続し、閾値より小さい場合にスイッチ１６を（ａ）側に接続する動作を行う。
【００５５】
第２の実施の形態の音声データ伝送システム１は、電源のレベルによってスイッチ１６を切り換えることができるので、制御データを用いないでスイッチ１６の切換えが可能となる。
【００５６】
また、第２の実施の形態の音声データ伝送システム１は、第１の実施の形態と同様に、ネットワークの品質が低下したときにも、アナログ音声データによる音声出力を確保できるという効果を有する。
【００５７】
次に、本発明の第３の実施の形態の音声データ伝送システム１について説明する。第３の実施の形態の音声データ伝送システム１は、第１の実施の形態の音声データ伝送システム１と基本的な構成は同じであるが、受信装置１０の構成が異なる。
【００５８】
図８は、第３の実施の形態で用いられる受信装置１０を示す図である。図８に示されるように、第３の実施の形態の受信装置１０では、アナログ入力対応のアンプ回路３０の代わりにデジタル入力対応のアンプ回路３４を備えている。また、これに伴って、受信装置１０は、アナログデジタル変換部１８を備えている。
【００５９】
このように構成することで、デジタル入力対応のアンプ回路を有する受信装置１０を用いた場合も、第１の実施の形態と同様に、ネットワークの品質低下時に、アナログ音声データによる音声出力を確保できるという効果を有する。
【００６０】
図９は、本発明の第４の実施の形態の音声データ伝送システム１を示す図である。第４の実施の形態の音声データ伝送システム１は、第１の実施の形態の音声データ伝送システム１と基本的な構成は同じであるが、アナログ音声データとデジタル音声データとを多重部６０によって重畳するのではなく、一のシース６４内に複数のケーブルを含む多芯ケーブルを伝送路として用いている点が異なる。また、同じシース６４内に、電力供給用のペア線を有する。
【００６１】
このように伝送路として多芯ケーブルを用いることにより、一のケーブルが切断された場合にも、他のケーブルによってデータ伝送が可能となる。そして、受信装置１０は、デジタル音声データのデータ量が閾値より小さい場合には、アナログ音声データに切り換える構成なので、デジタル音声データのケーブルが切断した場合にもアナログ音声データに切り換わり、音声出力を確保できる。従って、ケーブル切断による故障の発生率を低減することができる。
【００６２】
なお、図１０に示すように、第４の実施の形態において、電源を重畳しない構成とすることも可能である。
【００６３】
以上、本発明のデータ伝送システムおよび受信装置について、実施の形態を挙げて詳細に説明したが、本発明は、上記した実施の形態に限定されるものではない。
【００６４】
上記した実施の形態では、デジタル音声データ処理部２０で故障が発生した場合に、スイッチ１６を（ａ）側にスイッチする構成について説明したが、アナログ回路１４で故障が発生した場合に、スイッチ１６を（ｂ）側にスイッチする構成を採用してもよい。これにより、例えば、アナログ回路１４の故障時にも、デジタル音声データによって音声出力を確保できる。
【産業上の利用可能性】
【００６５】
以上説明したように、本発明は、ネットワークの品質が低下してデジタル音声データを適切に受信できない場合に、アナログ音声データに切り換えて音声出力を確保することができるというすぐれた効果を有し、ネットワークを通じてデータを伝送し、受信装置にて出力するデータ伝送システム等として有用である。
【図面の簡単な説明】
【００６６】
【図１】第１の実施の形態の音声データ伝送システムの構成を示す図
【図２】多重部にて生成された重畳音声データの例を示す図
【図３】周波数フィルタを説明するための図
【図４】データ／アナログ音声変換部の構成を示す図
【図５】リレー切換回路の構成を示す図
【図６】第１の実施の形態の受信装置におけるスイッチ切換えの動作を示す図
【図７】第２の実施の形態の受信装置の構成を示す図
【図８】第３の実施の形態の受信装置の構成を示す図
【図９】第４の実施の形態の音声データ伝送システムの構成を示す図
【図１０】第４の実施の形態の変形例に係る音声データ伝送システムの構成を示す図
【符号の説明】
【００６７】
１０  受信装置
１２  周波数フィルタ
１４  アナログ回路
１６  スイッチ
１８  アナログデジタル変換部
２０  デジタル音声データ処理部
２２  モデム
２４  データ／アナログ音声変換部
２６  アナログ回路
２８  電源部
３０  アンプ回路
３２  スピーカ
４０  ＣＰＵ
４２  ネットワークインターフェース
４４  メモリ
４６  デジタルアナログ変換部
５０  音源
５２  マトリックス装置
５４  ネットワークインターフェース装置
５６  データ中継切換装置
５８  モデム
６０  多重部
６２  電源供給部
６４  シース
７０  リレー切換回路
【図１】
2006229764.tif 000003
【図２】
2006229764.tif 000004
【図３】
2006229764.tif 000005
【図４】
2006229764.tif 000006
【図５】
2006229764.tif 000007
【図６】
2006229764.tif 000008
【図７】
2006229764.tif 000009
【図８】
2006229764.tif 000010
【図９】
2006229764.tif 000011
【図１０】
2006229764.tif 000012